(57)【要約】【課題】従来のピンセットでは、把持部に針状突起や曲面状をなす突部を設け、その針状突起や曲面状突部が把持部に固定されている構成となっていたため、物を掴むときに、その物が針状突起によって破損したり、物が把持部から滑って外れ易かった。【解決手段】一端が連結された一対の持ち手部２，３と、その一対の持ち手部の他端に設けられた一対の掴み部４，５と、を備えている。一対の掴み部４，５の一方に、他方の掴み部側に突出する係止部１８を設ける。そして、その係止部１８を、一対の持ち手部２，３を掴んだときに、他方の掴み部から逃がし、一対の掴み部の互いに対向する面を接触可能にした。【選択図】図１
2010214542.tif 000002
【特許請求の範囲】
【請求項１】
一端が連結された一対の持ち手部と、
前記一対の持ち手部の他端に設けられた一対の掴み部と、を備え、
前記一対の掴み部の少なくとも一方に、他方の掴み部側に突出する係止部を設け、
前記係止部を、前記一対の持ち手部を掴んだときに、前記他方の掴み部から逃がして前記一対の掴み部の互いに対向する面を接触可能にした
ピンセット。
【請求項２】
前記一対の掴み部のうち、前記係止部の無い側の掴み部に、前記係止部を収納可能な収納凹部を設けた
請求項１記載のピンセット。
【請求項３】
前記係止部を、可撓性を有する弾性片の先端に形成すると共に、前記弾性片を前記一方の掴み部に固定し、
前記収納凹部を前記一方の掴み部に設けた
請求項２記載のピンセット。
【請求項４】
前記係止部を、可撓性を有する弾性片の先端に形成すると共に、前記弾性片を前記一方の掴み部の外側に固定し、
前記一方の掴み部に、当該掴み部の外面から内面まで連通された連通穴又は連通溝を設け、
前記連通穴又は連通溝に前記係止部を挿通させて当該係止部の先端を前記内面から突出させた
請求項１記載のピンセット。
【請求項５】
前記一対の掴み部は、前記一対の持ち手部に対して取付ねじによって着脱可能に取り付けた
請求項１記載のピンセット。
【発明の詳細な説明】
【技術分野】
【０００１】
本発明は、物品を単に把持するのみならず、その物品を引っ掛けて安定性良く把持することができるピンセットに関する。
【背景技術】
【０００２】
一般に、電子機器等における組立作業、特に、小物部品の組立作業においては、その小物部品を掴むためにピンセットが用いられている。この種のピンセットは、通常、ステンレス鋼（ＳＵＳ）やばね鋼等によって形成されている。
【０００３】
しかしながら、電子機器等の組立作業においては、部品の掴む部分が硬くて曲線形状をなしている場合、特に、適度な力を加えて引っ張る必要がある場合には、非常に掴み難くて滑り易いという問題があった。例えば、小物部品が金属の線材で形成されているコイルばねであって、その掴む部分が、伸縮方向の一側に形成された円弧状のフック部である場合等である。この場合には、その把持部が滑ってしまい、特に、ある程度の力で把持しつつ引っ張ろうとすると、簡単に滑って掴むことが難しく、熟練性を要していた。
【０００４】
このような問題点を、図１８A〜図１８Ｃを参照して説明する。図１８Aは、把持部である先端の形状が細くて尖った先細りタイプのピンセットの要部を示す説明図である。この先細りタイプのピンセット１００は、小さな部品や細かい部分を掴むことには適している。しかしながら、掴む部分が小さくて掴む力も弱いために、部品であるコイルばね１１０の掴まれるフック部が滑って外れ易いという問題があった。
【０００５】
図１８Ｂは、把持部である先端の形状が先細の三角形をなす矢形タイプのピンセットの要部を示す説明図である。この矢形タイプのピンセット１０１は、把持部の面に滑り止め用の溝があるため、掴まれる部分が溝内に入る場合には良く掴むことができる。しかしながら、掴まれる部分が溝から抜け出してしまう場合には、コイルばね１１０のフック部を掴むための力量が多く必要となり、外れ易いという問題があった。
【０００６】
また、図１８Ｃは、先細の矢形をなす把持部を、金属以外のセラミックス等で形成した矢形タイプのピンセットの要部を示す説明図である。このセラミックス製ピンセット１０２は、把持部のみを交換して使用可能であるため、経済的であるという利点がある。更に、把持部に絶縁性を付与できるため、部品として電気部品を取り扱う場合に有利である。しかしながら、セラミックス製把持部の掴み面に溝が無いため、掴まれる側のフック部が滑って外れ易いという問題があった。
【先行技術文献】
【特許文献】
【０００７】
【特許文献１】特開平１０−３１４１８０号公報
【特許文献２】特開２００６−７３８０号公報
【０００８】
従来の、この種のピンセットとしては、例えば、特許文献１に記載されているようなものがある。特許文献１には、痔の止血治療等に用いられるバイポーラピンセットに関するものが記載されている。このバイポーラピンセットは、一対の挟持片の先端に電極となる針状突起を設け、この突起を皮膚に刺突するようにした、ことを特徴としている。このバイポーラピンセットによれば、挟持片の先端部内側面を絶縁し、針状突起を突設してこの針状突起を電極としたので、表皮の内側にある患部に直接電流を流すことができる、という効果が期待される。
【０００９】
また、従来の他のピンセットとしては、例えば、特許文献２に記載されているようなものもある。特許文献２には、極小型でカケやクラックが入り易い角柱状部品を把持するピンセットに関するものが記載されている。このピンセットは、対向する一対の把持部を閉接することにより角柱状部品を把持するピンセットであって、一方の把持部の先端が内側に突出した曲面状をなし、他方の把持部の少なくとも先端の内側が平坦状をなす、ことを特徴としている。このピンセットによれば、一方の把持部の先端が内側に突出した曲面状をなし、他方の把持部の少なくとも先端の内側が平坦状をなすことから、極小でカケやクラックが入り易い角柱状の部品を安全に把持することができる、という効果が期待される。
【００１０】
しかしながら、特許文献１に係るピンセットにおいては、一対の挟持片の各先端に針状突起をそれぞれ設ける構成となっていた。そのため、物品を掴むときには、針状突起が常に物品に押付けられることから、その物品が針状突起によって傷付けられる恐れがあるという問題があった。
【００１１】
また、特許文献２に係るピンセットでは、一方の把持部の先端が内側に突出した曲面状をなし、他方の把持部の先端の内面が平坦状をなす構成となっていた。そのため、物品を掴むときには、常に曲面状をなす部分と平坦状をなす部分が当接されることから、掴むための力量が多く必要となり、把持部に作用する力のバランスが崩れて捩れが発生すると、把持部が滑って物品が外れ易いという問題があった。
【発明の概要】
【発明が解決しようとする課題】
【００１２】
解決しようとする問題点は、従来のピンセットにおいては、把持部に針状突起や曲面状をなす突部を設け、その針状突起や曲面状突部が把持部に固定されている構成となっていた。そのため、物品を掴むときに、その物品が針状突起によって破損したり、物品を掴むために大きな把持力が必要になり、把持力のバランスを取るのが難しくなり、把持部が滑って外れ易いという点である。
【課題を解決するための手段】
【００１３】
本出願のピンセットは、一端が連結された一対の持ち手部と、その一対の持ち手部の他端に設けられた一対の掴み部と、を備えている。一対の掴み部の少なくとも一方に、他方の掴み部側に突出する係止部を設け、その係止部を、一対の持ち手部を掴んだときに、他方の掴み部から逃がして一対の掴み部の互いに対向する面を接触可能にした。
【発明の効果】
【００１４】
本出願のピンセットによれば、少なくとも一方の掴み部に係止部が設けられているため、その係止部を物品（部品）に引っ掛けることによって容易に物品を掴むことができる。しかも、物品を掴んだ後は、係止部が逃げて一対の掴み部が面によって接触されることから、掴んだ後の物品の外れを効果的に抑制することができる。
【図面の簡単な説明】
【００１５】
【図１】本発明のピンセットの第１の実施の例を示す外観斜視図である。
【図２】本発明のピンセットの第１の実施の例を示す分解斜視図である。
【図３】本発明のピンセットの第１の実施の例を示す一部を断面した説明図である。
【図４】本発明のピンセットの第２の実施の例を示す一部を断面した説明図である。
【図５】本発明のピンセットの第２の実施の例を示す分解斜視図である。
【図６】本発明のピンセットの第２の実施の例の変形例を示す一部を断面した説明図である。
【図７】図６に示した実施例の分解斜視図である。
【図８】図６に示した実施例の使用状態の第１の例を説明するもので、図８Ａはコイルばねのフック部を掴む前の状態、図８Ｂは同フック部を掴んだ状態の、それぞれ説明図である。
【図９】図６に示した実施例の使用状態の第２の例を説明するもので、直方体の小さな部品を把持した状態の説明図である。
【図１０】本発明のピンセットの第３の実施の形態の第１の実施例を示す要部説明図である。
【図１１】本発明のピンセットの第３の実施の形態の第２の実施例を示す要部説明図である。
【図１２】本発明のピンセットの第３の実施の形態の第３の実施例を示す要部説明図である。
【図１３】本発明のピンセットの第３の実施の形態の第４の実施例を示す要部説明図である。
【図１４】本発明のピンセットの第４の実施の例を示す外観斜視図である。
【図１５】本発明のピンセットの第４の実施の例を示す分解斜視図である。
【図１６】図１４の要部を断面して示す説明図である。
【図１７】図４、図５に示す本発明のピンセットに係る掴み部の変形例を示すもので、図１７Ａは斜視図、図１７Ｂは中央部を断面した説明図である。
【図１８】従来のピンセットを説明するもので、図１８Ａは第１の形態、図１８Ｂは第２の形態、図１８Ｃは第３の形態の、それぞれ要部を示す説明図である。
【発明を実施するための形態】
【００１６】
一対の持ち手部の自由端側に設けた一対の掴み部のうち、少なくとも一方に係止部を設け、一対の持ち手部を握ったときに、その係止部を他方の掴み部から逃がし、一対の掴み部が互いに対向する面で接触する構成とした。これにより、容易に物品（部品）を掴むことができると共に、掴んだ後の物品の外れを効果的に防止し又は抑制することができるピンセットを、簡単な構成によって実現した。
【実施例１】
【００１７】
図１乃至図３は、本発明のピンセットの第１の実施の形態の例を示すものである。このピンセット１は、一端が連結された一対の持ち手部２，３と、その一対の持ち手部２，３の他端に設けられた一対の掴み部４，５とを備えて構成されている。一対の持ち手部２，３は、同様の形状を有する長尺状の２つのアーム部が、その長手方向の一端において連結固定部６として連結されて一体に構成されている。連結固定部６は、２つの部材を重ね合わせ、互いに重ね合わされた部分を溶接や接着剤その他の手段により接合する構成とすることができ、また、１本の長い部材を折り曲げただけの構成とすることもできる。
【００１８】
一対の持ち手部２，３の連結固定部６と反対側は、その長手方向の大部分において適当な間隔で離間された弾性を有する片持ち梁状の部分として形成されている。一対の持ち手部２，３の材質としては、例えば、ステンレス鋼（ＳＵＳ）、炭素鋼、構造用合金鋼、ばね鋼等を用いることができる。一対の持ち手部２，３には適度な強さの弾性が付与されており、自由状態では図１〜図３に示すような状態となっていて、その弾性に抗して一対の持ち手部２，３を閉じ方向へ掴むことにより、自由端側の間隔を狭めることができる。各持ち手部２，３の自由端側には、掴み部４，５を固定するためのねじ孔７がそれぞれ複数（本実施例では２つ）設けられている。なお、ねじ孔７は１つでもよく、また、３つ以上でもよい。
【００１９】
第１の持ち手部２の先端に固定された第１の掴み部４は、第１の挟持部材８と、この第１の挟持部材８を第１の持ち手部２にねじ止めするための取付ねじ９とによって構成されている。第１の挟持部材８は、第１の持ち手部２に固定するための固定部８ａと、この固定部８ａに連続して前方へ突出するように形成された突出部８ｂとを有している。固定部８ａには、取付ねじ９が挿通される挿通孔１１が複数箇所（本実施例では２箇所）に設けられている。
【００２０】
この固定部８ａと突出部８ｂが連続する部分には、第１の持ち手部２の前端面が対向される段部８ｃが設けられている。この段部８ｃにより第１の挟持部材８が第１の持ち手部２の所定位置に位置決めされ、その状態で取付ねじ９により締め付けられて一体的に固定されている。更に、第１の挟持部材８の突出部８ｂの先端側であって、第２の掴み部５と対向する面には、後述する係止部を収納可能な収納凹部１２が設けられている。この収納凹部１２は、係止部よりも適宜に大きな四角形の凹部として形成されており、係止部の全体が挿入可能となっている。
【００２１】
第２の持ち手部３の先端に固定された第２の掴み部５は、第２の挟持部材１４と、板ばね１５と、これら第２の挟持部材１４及び板ばね１５を第２の持ち手部３にねじ止めするための取付ねじ１６とによって構成されている。第２の挟持部材１４は、第２の持ち手部３に固定するための固定部１４ａと、この固定部１４ａに連続して前方へ突出するように形成された突出部１４ｂとを有している。固定部１４ａには、取付ねじ１６が挿通される挿通孔１７が複数箇所（本実施例では２箇所）に設けられている。この第２の挟持部材１４の固定部１４ａと突出部１４ｂが連続する部分には、段部１４ｃが設けられている。この第２の挟持部材１４の内側に、板ばね１５が重ね合わされて配置されている。
【００２２】
板ばね１５は、ピンセット１で物品（部品）を掴んだ際に、掴み部４，５による挟み込みの力を補助すると共に、コイルばねのフック部等の棒状部分に引っ掛けて部品の外れ防止を図るものである。この板ばね１５は、第２の持ち手部３に固定するための固定部１５ａと、この固定部１５ａに連続して前方へ突出するように形成された突出部１５ｂとを有し、この突出部１５ｂの先端に係止部１８が設けられている。板ばね１５の固定部１５ａには、取付ねじ１６が挿通される挿通孔１９が複数箇所（本実施例では２箇所）に設けられている。係止部１８の飛び出し量や幅は、必要に応じて適宜に設定できるものであり、板厚や幅等の寸法、形状等を適宜に選択することにより、引っ掛ける強度を自由に調整することができる。
【００２３】
第２の挟持部材１４と板ばね１５は、互いの段部１４ｃと段部１５ｃを重ねた状態で第１の持ち手部２の先端に装着される。そして、これら段部１４ｃ，１５ｃを介して第２の挟持部材１４が第２の持ち手部３の先端の所定位置に位置決めされ、その状態で取付ねじ１６により締め付けられて一体的に固定されている。このとき、第２の挟持部材１４の突出部１４ｂの内側に板ばね１５の突出部１５ｂが配置され、突出部１４ｂの領域内で係止部１８が第１の挟持部材８側に突出される。このとき、係止部１８と対向する位置に、第１の挟持部材８の収納凹部１２が対向される。
【００２４】
前記第１の挟持部材８及び第２の挟持部材１４の材質としては、例えば、ＡＢＳ（アクリロニトリル・ブタジエン・スチレン樹脂）やＰＯＭ（ポリアセタール）等のエンジニアリングプラスチックが好適である。しかしながら、セラミックス、鉄、銅合金その他の金属を用いることもできる。なお、セラミックス製の掴み部の場合には、絶縁性に優れているという点で対象物品として電気部品を扱うときに有利である。また、板ばね１５の材質としては、例えば、ステンレス鋼（ＳＵＳ）、ばね鋼（板ばね材）等が好適である。
【００２５】
かくして、ピンセット１で物品（例えば、コイルばねのフック部等）を掴むときは、このピンセット１を手に持って一対の持ち手部２，３を押圧し、一対の掴み部４，５を互いに近づける方向に移動させる。このとき、一方の掴み部５には係止部１８が設けられていて、その係止部１８が他方の掴み部４側に突出されている。そのため、この係止部１８により、掴まれる部分が円弧形状をなしていて、しかも、適度なばね力によって引っ張られるコイルばねのフック部のような部分であっても、これを確実に保持して掴むことができる。
【００２６】
更に、フック部を掴んだ後、係止部１８の先端は、他方の掴み部４に設けた収納凹部１２内に入り込み、それぞれの突出部８ｂ，１５ｂの広い面によってフック部が挟持される。従って、あまり大きくない適度な把持力で、所望の掴み部分を確実且つしっかりと掴むことができる。この実施例の場合、掴み部４，５が取付ねじ９，１６によって組立・分解自在に構成されているため、第１の挟持部材８及び第２の挟持部材１４や板ばね１５を、必要に応じて部品毎に交換することができる。従って、一部の部品の一部のみが摩耗した場合にも、その摩耗部品のみの交換によって対処することができて経済的である。
【００２７】
なお、第１の挟持部材８の部品掴み面には、滑り止め用の溝を設けることが好ましい。また、第１の挟持部材８及び第２の挟持部材１４並びに板ばね１５の固定方法として、この実施例では取付ねじ９，１６を用いたが、これに限定されるものではない。これらを固定できる方法であれば、例えば、リベット、接着剤、溶接その他各種の固定方法を用いることができる。また、掴み部４，５の先端の形状としては、先細、矢形、緩やかな曲面等、必要に応じて適宜な形状を取ることができる。この場合、板ばね１５の形状についても、掴み部４，５の形状と見合う形状に形成することが好ましい。
【実施例２】
【００２８】
図４及び図５は、本発明のピンセットの第２の実施の形態の例を示すものである。このピンセット２０が前記ピンセット１と異なるところは、第２の掴み部２１において第２の挟持部材２２の外側に板ばね２３を配置した点である。そのため、ここでは異なる構成要素である第２の挟持部材２２と板ばね２３について説明し、その他の同一部分には同一の符号を付して重複した説明を省略する。
【００２９】
第２の挟持部材２２は、第２の持ち手部３に固定するための固定部２２ａと、この固定部２２ａに連続して前方へ突出するように形成された突出部２２ｂとを有している。固定部２２ａには、取付ねじ１６が挿通される挿通孔１７が２箇所に設けられている。この第２の挟持部材２２の固定部２２ａと突出部２２ｂが連続する部分には、段部２２ｃが設けられている。この段部２２ｃにより第２の挟持部材２２が第２の持ち手部３の先端の所定位置に位置決めされる。更に、第２の挟持部材２２の突出部２２ｂの先端側には、第１の掴み部４と対向する面から背面まで貫通する貫通穴２４が設けられている。
【００３０】
板ばね２３は、第２の持ち手部３に固定するための固定部２３ａと、この固定部２３ａに連続して前方へ突出するように形成された突出部２３ｂとを有し、この突出部２３ｂの先端に係止部２５が設けられている。板ばね２３の固定部２３ａには、取付ねじ１６が挿通される挿通孔１９が２箇所に設けられている。板ばね２３の固定部２３ａと突出部２３ｂは、１つの平面として形成されている。一平面として形成されている第２の挟持部材２２の背面に、同じく一平面として形成されている板ばね２３が重ね合わされている。
【００３１】
即ち、第２の挟持部材２２が、段部２２ｃを介して第２の持ち手部３の先端の所定位置に位置決めされ、その背面に板ばね３が重ね合わされている。そして、板ばね２３の外側から取付ねじ１６により締め付けられて第２の挟持部材２２と板ばね２３が、第２の持ち手部３に一体的に固定されている。このとき、板ばね２３の係止部２５は、第２の挟持部材２２の貫通穴２４を貫通して第１の挟持部材８側に突出される。そして、第１の挟持部材８の収納凹部１２に係止部２５が対向される。
【００３２】
図６及び図７は、本発明のピンセットの第２の実施の形態の変形例を示すものである。このピンセット３０が前記ピンセット２０と異なるところは、第２の掴み部３１の板ばね３３を小さく形成し、第２の挟持部材３２の先部に配置した点である。そのため、ここでは異なる構成要素である第２の挟持部材３２と板ばね３３について説明し、その他の同一部分には同一の符号を付して重複した説明を省略する。
【００３３】
第２の挟持部材３２は、第２の持ち手部３に固定するための固定部３２ａと、この固定部３２ａに連続して前方へ突出するように形成された突出部３２ｂとを有している。固定部３２ａには、取付ねじ１６が挿通される挿通孔１７が２箇所に設けられている。この第２の挟持部材３２の固定部３２ａと突出部３２ｂが連続する部分には、段部３２ｃが設けられている。この段部３２ｃにより第２の挟持部材３２が第２の持ち手部３の先端の所定位置に位置決めされる。更に、第２の挟持部材３２の突出部３２ｂの先端側には、第１の掴み部４と対向する面から背面まで貫通する貫通穴２４が設けられている。そして、突出部３２ｂの、貫通穴２４と段部３２ｃとの間に、板ばね３３をねじ止めするためのねじ孔３４が設けられている。
【００３４】
板ばね３３は、第２の挟持部材３２に固定するための挿通孔３６を有する矩形の板材からなり、その一辺に連続して係止部３５が一体に設けられている。係止部３５は、縦方向に断面した形状がＬ字形をなす弾性を有する突起状の部分からなっている。板ばね３３は、第２の挟持部材３２の突出部３２ｂの外側に配置され、固定ねじ３７により締め付けられて第２の挟持部材３２に固定されている。このとき、板ばね３３の係止部３５は、第２の挟持部材３２の貫通穴２４を貫通して第１の挟持部材８側に突出される。そして、第１の挟持部材８の収納凹部１２に係止部３５が対向される。
【００３５】
図８Ａ，図８Ｂは、図６及び図７に示したピンセット３０の使用状態の第１の実施例を示すものである。ピンセット３０で掴もうとする物品は、伸縮方向の両端にフック部３８ａ，３８ｂが設けられたコイルばね３８である。コイルばね３８の一方のフック部３８ｂは、例えば、電子機器の装置本体に固定されたフック部材３９に掛け止められている。このコイルばね３８の他方のフック部３８ａを、ピンセット３０によって把持する。
【００３６】
図８Ａは、ピンセット３０の一方の掴み部３１の内側に突出された係止部３５の先端にコイルばね３８のフック部３８ａを掛け止めた状態を示している。この状態から、一対の持ち手部２，３を摘んで一対の掴み部４，３１を接近させることにより、図８Ｂに示すような状態となる。この図８Ｂの状態では、係止部３５の先端が収納凹部１２内に入り込み、その収納凹部１２の縁によって係止部３５が支持される。そのため、収納凹部１２によって係止部３５の変形が防止され、フック部３８ａを掛け止めて確実に把持することができる。
【００３７】
このとき、ピンセット３０でコイルばね３８を引っ張ると、コイルばね３８に戻りの力が発生するが、係止部３５によってフック部３８ａを確実に保持することができるため、フック部３８ａが外れるおそれをなくすことができる。しかも、係止部３５と収納凹部１２のかみ合いにより、一対の持ち手部２，３を掴んでいる力を強くする必要がなく、小さな力で掴み状態を保持して、手の負担を少なくすることができる。また、手の負担が小さくて済むため、繰り返し作業を行っても、安定した掴み作業を行うことができる。
【００３８】
なお、図４，図５で示した実施例と図６，図７で示した実施例を比較すると、前者の板ばね２３の取付ねじ１６から係止部２５までの寸法が、後者の板ばね３３の固定ねじ３７から係止部２５までの寸法よりも長いところに相違点がある。この場合、その寸法によって板ばね２３，３３のばね力が変化する。具体的には、その寸法が長いと、板ばねが比較的弱い力で撓み、押付け力は弱くなる。これに対して、その寸法が短いと、板ばねの剛性が高くなり、比較的強い力でないと撓みを生じなくなり、その押付け力は強くなる。
【００３９】
図９は、図６及び図７に示したピンセット３０の使用状態の第２の実施例を示すものである。ピンセット３０で掴もうとする物品は、例えば、ＬＳＩやマイクロコンピュータ、抵抗、コンデンサ等のブロック状に形成された電子部品４１である。この場合、一対の掴み部４，３１で電子部品４１を掴むと、電子部品４１の剛性によって係止部３５が押し返され、係止部３５が根元部分において弾性変形される。そして、係止部３５の弾性による反力が常に電子部品４１に付与されるため、係止部３５の付勢力が摩擦力となって作用し、電子部品４１が掴み部４，３１から滑り落ちるのを防止し又は抑制することができる。
【実施例３】
【００４０】
図１０乃至図１３は、本発明のピンセットの第３の実施の形態の例を示すものである。これらの実施例は、市販されているピンセットを使用し、そのピンセットに本願発明の係止部５２と収納凹部５３を設けて第３の実施の形態に係るピンセット５０，５１を構成したものである。
【００４１】
図１０は、本発明のピンセットの第３の実施の形態の第１の実施例を示すもので、係止部としての係止ピン５２を掴み部５４に一体に設け、矢形タイプのピンセット５０として構成したものである。一方の掴み部５４には、他方の掴み部５５側に突出する係止ピン５２が植設されて一体に設けられている。この係止ピン５２に対応して他方の掴み部５５には、係止ピン５２の突き出している部分の全体が挿入可能とされた穴からなる収納凹部５３が設けられている。なお、一対の掴み部５４，５５の対向面には、それぞれ滑り止め用の溝５８が設けられている。
【００４２】
図１１は、本発明のピンセットの第３の実施の形態の第２の実施例を示すもので、係止部としての係止ピン５２を板ばね５６を介して掴み部５４に固定し、矢形タイプのピンセット５０Ａとして構成したものである。一方の掴み部５４には、係止ピン５２が挿通される貫通穴と、板ばね５６を固定するためのねじ孔とが設けられている。係止ピン５２は板ばね５６の一端に固定されていて、その板ばね５６を固定ねじ５７で掴み部５４に固定した状態において、貫通穴を貫通して係止ピン５２の先端が他方の掴み部５５側に突出するように構成されている。この係止ピン５２に対応して他方の掴み部５５には、係止ピン５２の突き出している部分の全体が挿入可能とされた穴からなる収納凹部５３が設けられている。そして、一対の掴み部５４，５５の対向面には、それぞれ滑り止め用の溝５８が設けられている。
【００４３】
図１２は、本発明のピンセットの第３の実施の形態の第３の実施例を示すもので、係止部としての係止ピン５２を掴み部５４に一体に設け、先細りタイプのピンセット５１として構成したものである。一方の掴み部５４には、他方の掴み部５５側に突出する係止ピン５２が植設されて一体に設けられている。この係止ピン５２に対応して他方の掴み部５５には、係止ピン５２の突き出している部分の全体が挿入可能とされた穴からなる収納凹部５３が設けられている。
【００４４】
図１３は、本発明のピンセットの第３の実施の形態の第４の実施例を示すもので、係止部としての係止ピン５２を板ばね５６を介して掴み部５４に固定し、先細りタイプのピンセット５１Ａとして構成したものである。一方の掴み部５４には、係止ピン５２が挿通される貫通穴と、板ばね５６を固定するためのねじ孔とが設けられている。係止ピン５２は板ばね５６の一端に固定されていて、その板ばね５６を固定ねじ５７で掴み部５４に固定した状態において、貫通穴を貫通して係止ピン５２の先端が他方の掴み部５５側に突出するように構成されている。この係止ピン５２に対応して他方の掴み部５５には、係止ピン５２の突き出している部分の全体が挿入可能とされた穴からなる収納凹部５３が設けられている。
【００４５】
これら第３の実施の形態で示した本発明によれば、市販されているピンセットを用いて、その一部のみの簡単な改造によって本願発明を実現することができ、極めて安価に製造することができる。
【実施例４】
【００４６】
図１４乃至図１６は、本発明のピンセットの第４の実施の形態の例を示すものである。このピンセット６０が前記ピンセット１と異なるところは、第２の掴み部６２の第２の挟持部材６４に保持されている板ばね６５を、物品を掴むときに第２の挟持部材６４側に後退動作させるように構成した点である。そのため、ここでは異なる構成要素である第１の挟持部材６３と第２の挟持部材６４と板ばね６５について説明し、その他の同一部分には同一の符号を付して重複した説明を省略する。
【００４７】
第１の掴み部６１の第１の挟持部材６３が前記第１の挟持部材８と異なるところは、収納凹部１２を廃止した点である。即ち、第１の挟持部材６３は、固定部６３ａと突出部６３ｂと段部６３ｃを有しており、固定部６３ａには２つの挿通孔１１が設けられている。第２の挟持部材６４は、第２の持ち手部３に固定するための固定部６４ａと、この固定部６４ａに連続して前方へ突出するように形成された突出部６４ｂとを有している。固定部６４ａには、取付ねじ１６が挿通される挿通孔１７が２箇所に設けられている。更に、固定部６４ａと突出部６４ｂが連続する部分には、段部６４ｃが設けられており、この段部６４ｃにより第２の挟持部材６４が第２の持ち手部３の先端の所定位置に位置決めされている。
【００４８】
板ばね６５は、第２の持ち手部３に固定するための固定部６５ａと、この固定部６５ａに連続して前方へ突出するように形成された突出部６５ｂとを有し、この突出部６５ｂの先端に係止部６６が設けられている。板ばね６５の固定部６５ａには、取付ねじ１６が挿通される挿通孔１９が２箇所に設けられている。板ばね６５の固定部６５ａと突出部６５ｂの間には段部６５ｃが設けられている。第２の挟持部材６４と板ばね６５は、互いの段部６４ｃと段部６５ｃを重ねた状態で第２の持ち手部３の先端に装着される。そして、これら段部６４ｃ，６５ｃを介して第２の挟持部材６４と板ばね６５が第２の持ち手部３の先端の所定位置に位置決めされ、その状態で取付ねじ１６により締め付けられて一体的に固定されている。
【００４９】
板ばね６５の突出部６５ｂは、固定部６５ａに連続する三角形をなす基部と、その三角形の頂部から外側に延在された腕部とからなり、その腕部の先端に係止部６６が設けられている。この突出部６５ｂは、腕部を断面一定の棒状に形成することにより、撓み変形が容易であって、係止部６６が容易に撓み変形できるようにしている。この板ばね６５の形状に対応させて第２の挟持部材６４の突出部６４ｂには、板ばね６５の突出部６５ｂの形状（特に、腕部）に見合う形状を有する収納凹部としての逃げ溝６７が設けられている。
【００５０】
第２の挟持部材６４の逃げ溝６７は、図１６に断面して示すように、先下がりの傾斜した溝として形成されている。そして、一対の掴み部６１，６２が重ね合わされたときに、係止部６６が突出部６５ｂの一部と共に背面側に撓まれて、逃げ溝６７内に収納されるように構成している。このような構成を有するピンセット６０によっても前記第１の実施例等と同様の効果を得ることができる。
【００５１】
図１７Ａ，図１７Ｂは、前記第２の実施例で説明した第２の挟持部材２２の変形例を示すものである。この実施例で示す第２の挟持部材７１は、同実施例における貫通穴２４に替えて、先端側に開口されたスリット７２を設け、このスリット７２に板ばね２３の係止部２５を通過させる構成としたものである。
【００５２】
以上説明したが、本発明では、物（部品）を掴む機能に加えて、その物を引っ掛ける機能を複合させる構成とした。そして、物を掴むときには、掴む機能を損なわないように、引っ掛け部である係止部を穴や溝等の凹部に収納するようにした。そのため、簡単な構造でありながら、安価に製造することができると共に、物を簡単にしっかりと保持することができるピンセットを提供することができる。また、係止部や掴み部が交換可能であるため、摩耗したり破損したような場合であっても、その部分のみの交換で対処することができると共に、使用用途に応じて適正なタイプの部品に交換して使用することもできる。更に、係止部の押付け力、飛び出し量、先端形状等を目的に応じて適宜に設定することができ、先端形状が変化しても構造対応が可能である。
【００５３】
従って、本発明によれば、従来のピンセットによって生じていた不具合、例えば、物（部品）が滑って落としてしまい、滑って外れた勢いで部品がどこかに飛んでしまう等の問題の発生を抑制し又は防止することができる。更に、従来のピンセットでは、滑らないようにするために、ピンセットの持ち手部を強く掴む必要があったことから作業者の疲労が大きかったが、本発明によれば、軽く掴むだけで部品等を確実に保持することができる等の効果を得ることができる。
【００５４】
本発明は、前述しかつ図面に示した実施の形態に限定されるものではなく、その要旨を逸脱しない範囲内で種々の変形実施が可能である。例えば、前記実施例においては、掴み部の固定部を持ち手部の外側に配置し、外側から取付ねじで締め付け固定する構成としたが、その固定部を持ち手部の内側に配置してもよい。そして、内側から取付ねじで締め付けてもよく、また、外側から取付ねじで締め付け固定する構成としてもよい。また、一対の掴み部において、一方の掴み部の固定部を外側に配置し、他方の掴み部の固定部を内側に配置する構成とすることもできる。
【符号の説明】
【００５５】
１，２０，３０，５０，５０Ａ，５１，５１Ａ，６０…ピンセット、  ２，３…持ち手部、  ４，５４，６１…第１の掴み部、  ５，２１，３１，５５，６２…第２の掴み部、  ６…連結固定部、  ８，６３…第１の挟持部材、  １２…収納凹部、  １４，２２，３２，６４，７１…第２の挟持部材、  １５，２３，３３，５６，６５…板ばね、  １８，２５，３５，６６…係止部、  ２４…貫通穴、  ３８…コイルばね（物品）、  ４１…電子部品（物品）、  ６７…逃げ溝（収納凹部）、  ７２…スリット（収納凹部）
【図１】
2010214542.tif 000003
【図２】
2010214542.tif 000004
【図３】
2010214542.tif 000005
【図４】
2010214542.tif 000006
【図５】
2010214542.tif 000007
【図６】
2010214542.tif 000008
【図７】
2010214542.tif 000009
【図８】
2010214542.tif 000010
【図９】
2010214542.tif 000011
【図１０】
2010214542.tif 000012
【図１１】
2010214542.tif 000013
【図１２】
2010214542.tif 000014
【図１３】
2010214542.tif 000015
【図１４】
2010214542.tif 000016
【図１５】
2010214542.tif 000017
【図１６】
2010214542.tif 000018
【図１７】
2010214542.tif 000019
【図１８】
2010214542.tif 000020